(57)【要約】【課題】移動体通信端末の傾きに応じて受信感度の良いアンテナを選択できる携帯電話装置を提供することを目的としている。【解決手段】移動体通信端末に、複数のアンテナと、前記複数のアンテナの内で一つを選択するアンテナ選択部を含んだ無線部を内蔵する筐体と、前記筐体の傾きを検知するためのセンサと、前記無線部を制御する制御部を備え、前記制御部により、音声通話中に前記センサの信号に基いて前記筐体の傾きを認識し、その傾きから前記複数のアンテナの内で受信感度の良いアンテナを選択することによって、人体頭部や他の障害物によるアンテナ利得の劣化を低減させ、通話品質を確保することができる。【選択図】図１
2005223802.tif 000002
【特許請求の範囲】
【請求項１】
複数のアンテナと、前記複数のアンテナの内の一つを選択するアンテナ選択部を含んだ無線部を内蔵する筐体と、前記筐体の傾きを検知するためのセンサと、前記無線部を制御する制御部を備える移動体通信端末装置であって、前記制御部は、音声通話中に前記センサの信号に基いて前記筐体の傾きを認識し、その傾きから前記複数のアンテナの内で受信感度の良いアンテナを選択することを特徴とした移動体通信端末装置。
【請求項２】
前記制御部は、前記センサの信号を一定の時間毎に認識し、その認識した信号の平均値に基いて前記受信感度の良いアンテナを選択する請求項１記載の移動体通信端末装置。
【請求項３】
前記制御部は、前記センサの信号を一定の時間毎に認識し、その認識した信号の積算値に基いて前記受信感度の良いアンテナを選択する請求項１記載の移動体通信端末装置。
【請求項４】
前記制御部は、前記センサの信号を値として一定の時間毎に認識し、その認識した信号の値の平均値または積算値とあらかじめ設定したそれぞれのしきい値とを比較し、その比較した結果に基いて前記受信感度の良いアンテナを選択する請求項２または請求項３記載の移動体通信端末装置。
【請求項５】
前記センサは、重力センサ又は加速度センサである請求項１記載の移動体通信端末装置。
【請求項６】
請求項１記載の移動体通信端末装置において、前記複数のアンテナとして第一アンテナ及び第二アンテナを前記筐体に備え、前記センサは前記筐体の二方向の傾きを検知し、前記第一アンテナは前記筐体が一方向に傾くときに受信感度が良くなる位置に備え、前記第二アンテナは前記筐体が他方向に傾くときに受信感度が良くなる位置に備えた移動体通信端末装置。
【発明の詳細な説明】
【技術分野】
【０００１】
本発明は、通話時における人体の頭部もしくは他の障害物によるアンテナ利得の劣化を改善することにより通話品質を向上させた移動体通信端末装置に関する。
【背景技術】
【０００２】
従来の移動体通信端末装置に関する技術分野において、移動体通信端末装置に二つのアンテナを備えて、それぞれのアンテナを切り替えることで受信感度を良くするダイバーシティ受信技術は知られている。
【０００３】
例えば、図８に示すように、従来の移動体通信端末装置８０では、送信回路部１１１，受信回路部１１２，送信受信切替回路部１１４およびアンテナ切替回路部１１３で構成された無線回路部１１０と、第一アンテナ１、第二アンテナ２および制御部４を設け、受信回路部１１２で受信された電界のレベルに応じて制御部４からの制御信号により第一アンテナ１と第二アンテナ２を切り替えることが行われている。（例えば特許文献１）
また移動体通信端末装置と人体の位置関係によりアンテナ感度が劣化することに着目して、図９に示すように、移動体通信端末装置である携帯電話装置の上部に第一アンテナ１を、下部に第二アンテナ２をそれぞれ設け、制御部に設けた通信モード判別部９０により動作している通信モードを判定し、通信モードがデータ通信の場合は手で握られない第一アンテナ１を使用し、音声通信の場合は頭部から離れた第二アンテナ２に切り替えて使用することにより、アンテナと人体との距離を大きくしてアンテナの感度劣化を小さくして良好な通信を確保するという方法も知られている。（例えば特許文献２）
【特許文献１】特開平６−１４０９７１号公報（第２−４頁、図１、４）
【特許文献２】特開２００３−１６３９５６号公報（第４、５頁、図１−４）
【発明の開示】
【発明が解決しようとする課題】
【０００４】
しかしながら、従来の移動体通信端末装置において、受信電界レベルを検波する時間が設けられている移動体通信システム（ＰＤＣ）では、第一アンテナと第二アンテナを受信電界レベルに応じて切り替えることにより、人体の頭部や他の障害物によるアンテナ利得の劣化を低減させ、通話品質を確保することが可能であるが、そもそも受信電界レベルを検波しどのアンテナを使用するか判断する時間を設けていないＧＳＭのような移動体通信システムではアンテナ切り替えが困難であり、通話品質の確保が難しいという問題があった。
【０００５】
また、上記の通信モード判別部により音声通信中かデータ通信中かを判別しアンテナを切り替えて、移動体通信端末装置と人体の位置関係によりアンテナ感度が劣化するのを防ぐ方法では、音声通話中に移動体通信端末装置の筐体を右耳、左耳のどちらに当てて持つかという持ち方によるアンテナの受信感度の劣化には対応できていなかった。
【０００６】
そこで本発明は、従来の問題を解決するためになされたもので、移動体通信端末装置の持ち方、あるいはどちらの耳に当てて使うかにより、通話中における移動体通信端末装置の使用状態に応じて、受信感度の適したアンテナを選択し、アンテナ利得の劣化を低減させ通話品質を確保することのできる移動体通信端末装置を提供することを目的とする。
【課題を解決するための手段】
【０００７】
本発明は、複数のアンテナと、前記複数のアンテナの内の一つを選択するアンテナ選択部を含んだ無線部を内蔵する筐体と、前記筐体の傾きを検知するためのセンサと、前記無
線部を制御する制御部を備える移動体通信端末装置であって、前記制御部は、音声通話中に前記センサの信号に基いて前記筐体の傾きを認識し、その傾きから前記複数のアンテナの内で受信感度の良いアンテナを選択することを特徴としたものである。これによって、人体の頭部や他の障害物によるアンテナ利得の劣化を低減させ、通話品質を確保することができる。
【０００８】
また本発明は、上記移動体通信端末装置において制御部は、前記センサの信号を一定の時間毎に認識し、その認識した信号の積算値または平均に基いて前記受信感度の良いアンテナを選択するものである。これによって、人体の頭部や他の障害物によるアンテナ利得の劣化を低減させ、通話品質を安定的に確保することができる。
【０００９】
また本発明は、上記移動体通信端末装置において制御部は、前記センサの信号を一定の時間毎に認識し、その認識した信号の積算値または平均とあらかじめ設定したそれぞれのしきい値とを比較し、その比較した結果に基いて前記受信感度の良いアンテナを選択するものである。これによって、人体の頭部や他の障害物によるアンテナ利得の劣化を低減させ、通話品質を確保することができる。
【００１０】
また本発明は、上記移動体通信端末装置においてセンサは、重力センサ又は加速度センサである。これによって、移動体通信端末装置の傾きを精度良く検出して、人体の頭部や他の障害物によるアンテナ利得の劣化を低減させ、通話品質を確保することができる。
【００１１】
また本発明は、上記移動体通信端末装置において複数のアンテナとして第一アンテナ及び第二アンテナを前記筐体に備え、センサは前記筐体の二方向の傾きを検知し、前記第一アンテナは前記筐体が一方向に傾くときに受信感度が良くなる位置に備え、前記第二アンテナは前記筐体が他方向に傾くときに受信感度が良くなる位置に備えたものである。これによって、人体の頭部や他の障害物によるアンテナ利得の劣化を低減させ、通話品質を確保することができる。
【発明の効果】
【００１２】
本発明によれば、移動体通信端末装置の持ち方、あるいは右耳、左耳のどちらの耳に当てて使うかにより、音声通話中に移動体通信端末装置の筐体の傾きに応じて複数のアンテナの内で受信感度の良いアンテナを選択するので、通話中における移動体通信端末装置の使用状態に応じたアンテナの選択が可能となり、アンテナ利得の劣化を低減させ通話品質を確保することができる。
【発明を実施するための最良の形態】
【００１３】
（実施の形態１）
以下、本発明の第一の実施の形態に係る移動体通信端末装置について、図面を用いて説明する。図１は、本発明の第一の実施の形態に係る移動体通信端末装置のブロック図であり、筐体３に第一アンテナ１及び第二アンテナ２を備える。また第一アンテナ１及び第二アンテナ２に無線部５を接続する。無線部５には、アンテナ選択部６、受信送信切替部７、受信回路８及び送信回路９を設ける。アンテナ選択部６は第一アンテナ１及び第二アンテナ２と接続され、送受信するアンテナを選択する。第一アンテナ１が選択されたときは第一アンテナ１により、第二のアンテナが選択されたときは第二アンテナ２により、外部と信号の送受信を行なうことができる。アンテナ選択部６に接続される受信送信切替部７は、受信回路８及び送信回路９に接続され、第一アンテナ１（または第二アンテナ２）により信号が受信される場合は受信回路８に切り換えて受信信号を受信回路８に振り分け、一方第一アンテナ１（または第二アンテナ２）により信号が送信される場合は送信回路９に切り換えて送信回路９からの送信信号を伝送する。
【００１４】
そして、無線部５に通信制御部１１及び音声処理部１２を順に接続し、この音声処理部１２に受話側のスピーカ１４及び送話側のマイクロフォン１３を接続する。スピーカ１４は、音声処理部１２からの信号を音として外部へ出力する。マイクロフォン１３は、外部からの音声をひろい、信号を音声処理部１２へ出力する。通信制御部１１は、無線部５へ信号を送受信し、音声処理部１２から送られる音声データの制御や、制御部４へ信号の送信等を行う。音声処理部１２は、通信制御部１１から送られた音声信号を変調しスピーカ１４へ出力し、またマイクロフォン１３からの信号を変調し通信制御部１１へ出力する。４は、制御部であって無線部５と通信制御部１１を制御する。またセンサ１０は、重力センサであって筐体３の傾きを検知し制御部４へ信号を送信する。
【００１５】
図２は、本発明の第一の実施の形態に係る移動体通信端末装置の外観図であって、無線部５、制御部４及び通信制御部１１等の図１で示した構成は、筐体３の内部に配置している、筐体３には、テンキー１５、通話開始キー１６、終話キー１７と機能ボタン１８を配置し、機能ボタン１８の上部にディスプレイ１９を配置している。２０は、マイクロフォン１３用の孔であって通話中の使用者はこの孔に向かって声を発し、また２１は、スピーカ１４用の孔であって通話中の使用者はこの孔を耳に当てることで音声を聞き取ることができる。第一アンテナ１は筐体３に対し外部アンテナとして筐体３の端部から突出する形状で取り付け、第二アンテナ２は筐体３に対し内部アンテナとして筐体３の内部に取り付ける。
【００１６】
図２においては、移動体通信端末装置の筐体３を直方体の形状とし、その筐体３の上面について第一アンテナ１を設置する位置に対して対向する位置に第二アンテナ２を設ける。センサ１０は、第一アンテナ１及び第二アンテナ２が筐体３の上部に設けるのに対して筐体３の下部に設ける。このセンサ１０は、重力の方向に対する筐体３の傾きを検出するようにしている。またセンサ１０は、図３（ａ）に示すように筐体３の長手方向がＺ軸と一致しているときを基準として、センサ１０のある下部がY軸の負の方向に移動したときの傾き、すなわち図２に示したテンキー１５等のある操作面側においてスピーカ１４用の孔２１を中心点として時計方向に回転した時計方向の傾きと、図３（ｂ）に示すように筐体３のセンサ１０のある下部がY軸の正方向に移動したときの傾き、すなわち図２の操作面側でスピーカ１４用の孔２１を中心点として反時計方向に回転した反時計方向の傾きを判定する。そしてセンサ１０は、Y軸の負の方向の傾きを検知した時の信号と、Y軸の正の方向の傾きを検知し信号を区別して制御部４へ送る。これにより、制御部４は、センサ１０の信号に基いて筐体３の傾きを認識することができる。なお、図３（ａ）について、第二アンテナ２は、筐体３に内蔵されているが、模式図として、筐体外部に描いている。図３（ｂ）についても同様である。
【００１７】
図４は本発明の実施の形態１に係る移動体通信端末装置の使用状態を示す動作説明図である。図４（ａ）は使用者が移動体通信端末装置を右耳を使って使用している場合を示し、図３（ａ）に示す筐体３の傾きと同様であって、第二アンテナ２の方が第一アンテナ１よりも人体頭部から離れている位置にある。一方、図４（ｂ）は使用者が移動体通信端末装置を左耳を使って使用している場合を示し、図３（ｂ）に示す筐体３の傾きと同様であって、第一アンテナ１の方が第二のアンテナ２よりも人体頭部から離れた位置にある。アンテナが信号を送受信する場合、人体等の障害物とアンテナの距離が短ければアンテナの受信感度が悪くなるので、図４（ａ）のような使用形態では第二アンテナ２の方が第一アンテナ１よりも受信感度が良くなり、一方、図４（ｂ）のような使用形態では第一アンテナ１の方が第二アンテナ２よりも受信感度が良くなる。
【００１８】
以上のように構成された移動体通信端末装置について、以下その動作を図５を用いて説明する。図５は、本発明の実施の形態１に係る移動体通信端末装置の動作を説明するためのフローチャートである。
【００１９】
まず、使用者はテンキー１５及び通話開始キー１６等を押し通話を開始する。使用者は通話相手と会話することでマイクロフォン１３及びスピーカ１４に音声が通る（ステップS１）。次に、制御部４が音声通話中であることを確認した上で、センサ１０が筐体３の傾きを検知し、その傾きに応じた信号を制御部４へ送信する（ステップS２）。そして、制御部４はその信号を受信することで筐体３の傾きを認識し、その傾きに応じた信号を無線部５へ送信しアンテナ選択部６に受信感度の良いアンテナを選択させる。すなわち、制御部４は、図４（ａ）のような使用形態の場合、移動体通信端末装置の操作面側から見てスピーカ１４用の孔２１を中心点として時計方向の傾きであることを認識し、アンテナ選択部６が第二アンテナ２を選択する情報を有す信号を無線部５へ送信する。また、制御部４は、図４（ｂ）のような使用形態の場合、移動体通信端末装置の操作面側から見てスピーカ１４用の孔２１を中心点として反時計方向の傾きであることを認識し、アンテナ選択部６が第一アンテナ１を選択する情報を有す信号を無線部５へ送信する（ステップS３）。無線部５は筐体３の傾きに応じた信号を受信することでアンテナ選択部６で受信感度の良いアンテナが選択される。つまり、アンテナ選択部６は、図４（ａ）のような使用形態の場合は第二アンテナ２を選択する（ステップS４１）。また、図４（ｂ）のような使用形態の場合は第一アンテナ１を選択する（ステップS４２）。そして、図４（ａ）のような使用形態の場合は第二アンテナ２により信号が送受信され音声通信が行なわれる（ステップS５１）。また、図４（ｂ）のような使用形態の場合は第一アンテナ１により信号が送受信され音声通信が行なわれる（ステップS５２）。
【００２０】
上記のように使用者が右耳を用いて通話をしている時、すなわち図４（ａ）のような使用形態の場合は第二アンテナ２により音声通信が行なわれるが、通話の途中で使用者が右耳から左耳を使用した場合、筐体３は操作面側から見てスピーカ１４用の孔２１を中心点として時計方向に傾いていたのが、スピーカ１４用の孔２１を中心点として反時計方向に傾くこととなる。そして、センサ１０は傾きに応じた信号を制御部４へ送信するため、制御部４が操作面側から見てスピーカ１４用の孔２１を中心点として反時計方向の傾きであることを認識し、第一アンテナ１を選択する情報を有す信号を無線部５へ送信し、無線部５のアンテナ選択部６によって第一アンテナ１が選択され、このアンテナで音声通信が行なわれる。同様に、使用者が左耳を用いて通話している途中に右耳を用いて通話をした場合は、第一アンテナ１から第二アンテナ２へ切り替わることとなる。
【００２１】
これによって、上記の発明に係る移動体通信端末装置は筐体３の傾きによってアンテナを選択するため、通話中における移動体通信端末装置の使用状態に応じアンテナの選択が可能となり、アンテナ利得の劣化を低減させ通話品質を確保することができる。
【００２２】
上記の移動体通信端末装置を用いて、通話中の各アンテナの利得を計測したところ、人体頭部に近い方のアンテナ（図４（ａ）のような使用形態の場合は第一アンテナ１）使用時にアンテナの利得が−２０dB：９００MHz，−１５dB：１８００MHzであったものが、人体頭部から離れている方のアンテナ（図４（ｂ）のような使用形態の場合は第一アンテナ１）使用時にアンテナの利得が−１８dB：９００MHz,−１３dB：１８００MHzになり、２dBの改善があったという結果が得られた。この結果からも分かるように、筐体３の傾きに応じてアンテナを選択することで、通話中において２dBの利得の減少を防ぐことができる。
【００２３】
また、上記のように通話中に使用者が移動体通信端末装置を右耳から左耳へ移り変えたときには、筐体３の傾きが変化するため、移動体通信端末装置は筐体３の傾きに応じて受信感度の良いアンテナが選択されることによって、使用する耳の切り替えに伴うアンテナ利得の減少を防ぐことができ通話品質を確保することができる。
【００２４】
なお、上記の移動体通信端末装置は、複数のアンテナとしてアンテナを二個備えているが、三個以上であってもよい。筐体３の形状についても、必ずしも直方体にしなくてもよい。また筐体３を一個にする必要もなく、例えば二個の筐体３をヒンジ等を介して結合させ折り畳むことができる移動体通信端末装置に用いて、これらの筐体３の傾きに応じてアンテナを選択させるようにしてもよい。またセンサ１０は、重力センサに限らず加速度センサを用いてもよい。加速度センサを用いることにより使用条件に応じた傾き検出が可能となるためである。
【００２５】
また、アンテナの位置についても直方体形状の筐体３の上面に設ける必要はなく、第一アンテナ１を筐体３の上面に第二アンテナ２を下面にし第一アンテナ１と第二アンテナ２を対角させるように備えても良い。つまり、例えば複数のアンテナとして第一及び第二アンテナ２を備え、センサ１０が筐体３の二方向について検知する場合、その二方向のうち一方向の傾きに対しては第一アンテナ１の受信感度がよくなるように、他方向の傾きに対しては第二アンテナ２の受信感度がよくなるようにそれぞれのアンテナを配置すればよい。
【００２６】
また、上記の移動体通信端末装置に使用例として、通話中に使用者が使用する耳を変えることによって筐体３の傾きが変化することを例として挙げたが、一方の耳を使用し続けた状態で筐体３の角度を換えることでも、筐体３と人体頭部との距離は変化しアンテナ利得も変化するから、その筐体３の角度変化に伴う筐体３の傾きに応じて受信感度の良いアンテナを選択しても良い。
【００２７】
（実施の形態２）
次に、本発明の第二の実施の形態に係る携帯電話装置について説明する。なお、基本的な構成は既に説明した第一の実施の形態と同じであるであるが、筐体３内部にメモリを備える。第一の実施の形態に係る移動体通信端末装置は、音声通話時にセンサ１０の信号に基いて筐体３が異なる方向に傾いた時にアンテナを切り替える制御を行っていたが、第二の実施の形態に係る携帯電話装置では、制御部４が、ある一定時間、センサ１０からの傾きに応じた信号の平均をとり、その平均に基いて筐体３が傾斜している方向を判断して、アンテナを切り替える構成をとっている。以下、図６及び図７を用いて詳細に説明する。
【００２８】
図６は、所定の時間（ｔ２）で筐体３の傾きの変化を表した図であって、ｔ２を一定の時間間隔ｔ１で区切ったときに、筐体３が図３（ａ）や図４（ａ）で示したように、操作面側から見てスピーカ１４用の孔２１を中心点として時計方向に傾いているか、図３（ｂ）や図４（ｂ）のように反時計方向に傾いているかをセンサ１０が検知した結果を表している。つまり、図６の時間軸において、ｐ０の時は筐体３が操作面側から見て時計方向に傾いており、ｔ１経過後のｐ１には筐体３が操作面側から見て反時計方向に傾いている。さらにｔ１経過後のｐ２には筐体３が操作面側から見て時計方向に傾いている。本発明の第二の実施の形態に係る携帯電話装置では、一定の時間間隔ｔ１ごとの筐体３の傾きの状態を数値化して積算し、その積算値から平均を求め、平均に基いてアンテナを切り替えている。
【００２９】
図７に、第二の実施の形態に係る携帯電話装置の動作をフローチャートとして示す。まず、使用者はテンキー１５及び通話開始キー１６等を押し通話を開始する。使用者は通話相手と会話することでマイクロフォン１３及びレシーバに音声が通る（ステップS７１）。次に、制御部４が音声通話中であることを確認した上で、センサ１０が一定の時間間隔（ここではｔ１とする）で筐体３の傾きを検知し、その傾きに応じた信号を制御部４へ送る。今、時間ｐ０の時にセンサ１０は傾きを検知し、信号を制御部４へ送る（ステップS７２）。制御部４は、その傾きに応じた信号を一つの値として数値的にメモリに保存する。ここでは、図３（ａ）や図４（ａ）のように操作面側から見て時計方向に傾いていると
きは値を１として、図３（ｂ）や図４（ｂ）のように操作面側から見て反時計方向に傾いているときは値を０としてメモリに保存する。つまり、時間ｐ０の時は値１としてメモリに保存する（ステップS７３）。
【００３０】
次に制御部４は、前記センサ１０からの傾きを検知した信号をメモリに保存し始めてからの時間を積算時間ｔとして計測する。そして、その積算時間ｔがあらかじめ設定しておいた所定の時間（ｔ２）に達していない場合（ステップS７４１）は、ステップ７２へ戻りセンサ１０で筐体３の傾きを検知する。時間ｐ０の時、積算時間ｔは０であってｔ２に達していないからステップ７２に戻る（ステップS７４１）。そして、ｐ０からｔ１経過後のｐ１にセンサ１０は筐体３の傾きに応じて信号を制御部４へ送信し（ステップS７２）、制御部４は、ｐ１で筐体３が操作面側から見て反時計方向に傾いていたときには、値を０としてメモリに保存する（ステップS７３）。このとき積算時間ｔはｔ１であり、ｔ２に達していないから、再びステップ７２へ戻る（ステップS７４１）。そして、これらのステップを繰り返し、積算時間ｔがｔ２に達した時、つまり時間ｐ４の時に（ステップS７４２）、制御部４はメモリに保存された値の積算値を算出し、積算値から平均値Ｒを求め（ステップS７５）、平均値Ｒをあらかじめ設定したしきい値Ｑと比較する（ステップS７６）。
【００３１】
制御部４は、平均値Ｒがしきい値Ｑ以上の時は第二アンテナ２を選択し（ステップS７６１）、第二アンテナ２により音声通信が行なわれる（ステップS７７１）。一方、平均値Ｒがしきい値Ｑ未満の時は第一アンテナ１を選択し（ステップS７６２）、第一アンテナ１により音声通信が行なわれる（ステップS７７２）。その後、制御部４はメモリに保存されていた平均値Ｒをリセットし（ステップS７８）、ステップＳ７１に戻り上記の一連のステップが行なわれる。
【００３２】
上記のように、所定の時間ｔ２において、一定の時間ｔ１毎に筐体３の傾きを検知し、その傾きに応じた信号の値を積算し、その積算値から平均を求め、平均に基いて受信感度の良いアンテナに切り替えることによって、人体の頭部や他の障害物によるアンテナ利得の劣化を低減させ、通話品質を確保することができる。すなわち、一定の時間ｔ２において、積算値から求めた平均値Ｒがしきい値Ｑ以上の時は使用者が筐体３を操作面側から見て時計方向に傾けて移動体通信端末装置を使用することが多く、積算値から求めた平均値Ｒがしきい値Ｑ未満の時は使用者が筐体３を操作面側から見て反時計方向に傾けて移動体通信端末装置を使用することが多いこととなる。
【００３３】
本発明の移動体通信端末装置によれば、筐体３の傾きに応じた信号を積算して平均した結果に基づきアンテナを切り替えるようにしているので、筐体３の傾きに応じた信号が変化する毎にアンテナを切り替えるよりは、使用者は受信感度の良いアンテナをより安定的に選択して通話することができるという効果がある。また、実施の形態２に係る移動体通信端末装置は、センサ１０で検知する信号を値として所定の時間あたりの積算値から平均をとるため、筐体３の傾きが操作面側から見て反時計方向、時計方向いずれかに切り替わるごとにアンテナを切り替える必要はなく、電力消費を抑えることもできる。
【００３４】
なお、時間ｔ１、時間ｔ２、しきい値Ｑ及び平均値Ｒについては適宜変えることができる。また、上記の説明では一定の時間間隔ｔ１ごとの筐体３の傾きの状態を数値化して積算し、その積算値から平均値を求め、平均値に基いてアンテナを切り替えることを示したが、平均値を求めず、一定の時間間隔ｔ１ごとの筐体３の傾きの状態を数値化して積算し、その積算値に基づいてアンテナを切り替えるようにしても良い。
【産業上の利用可能性】
【００３５】
本発明にかかる移動体通信端末装置は、筐体の傾きを検知するセンサの信号に基いて、
複数のアンテナの内で受信感度の良いアンテナを選択し、人体の頭部や他の障害物によるアンテナ利得の劣化を低減させ、通話品質を確保することができるため、センサを備える移動体通信端末装置等に有用である。
【図面の簡単な説明】
【００３６】
【図１】本発明の第一の実施の形態における移動体通信端末装置のブロック図
【図２】本発明の第一の実施の形態における移動体通信端末装置の外観図
【図３】（ａ）本発明の第一の実施の形態における移動体通信端末装置の動作説明図（ｂ）本発明の第一の実施の形態における移動体通信端末装置の動作説明図
【図４】（ａ）本発明の第一の実施の形態における移動体通信端末装置の動作説明図（ｂ）本発明の第一の実施の形態における移動体通信端末装置の動作説明図
【図５】本発明の第一の実施の形態に係る移動体通信端末装置の動作例を示すフローチャート
【図６】本発明の第二の実施の形態における移動体通信端末装置の動作説明図
【図７】本発明の第二の実施の形態に係る移動体通信端末装置の動作例を示すフローチャート
【図８】従来の移動体通信端末装置のブロック図
【図９】従来の移動体通信端末装置の外観図
【符号の説明】
【００３７】
１  第一アンテナ
２  第二アンテナ
３  筐体
４  制御部
５  無線部
６  アンテナ選択部
７  受信送信切替部
８  受信回路
９  送信回路
１０  センサ
１１  通信制御部
１２  音声処理部
１３  マイクロフォン
１４  スピーカ
【図１】
2005223802.tif 000003
【図２】
2005223802.tif 000004
【図３】
2005223802.tif 000005
【図４】
2005223802.tif 000006
【図５】
2005223802.tif 000007
【図６】
2005223802.tif 000008
【図７】
2005223802.tif 000009
【図８】
2005223802.tif 000010
【図９】
2005223802.tif 000011